(57)【特許請求の範囲】
【請求項１】
ヒンジロッドを含む後縁を有するベースユニットと、
第１端および第２端を有する第１ディスプレイスクリーンレールであって、前記第１ディスプレイスクリーンレールの前記第１端は、前記ヒンジロッドで前記ベースユニットの後縁に回転可能に結合される、第１ディスプレイスクリーンレールと、
第１端および第２端を有する第２ディスプレイスクリーンレールであって、前記第２ディスプレイスクリーンレールの前記第１端は、前記ヒンジロッドで前記ベースユニットの後縁に回転可能に結合される、第２ディスプレイスクリーンレールと、
ディスプレイスクリーンハウジングと、
前記第１および第２ディスプレイスクリーンレールの内側と前記ディスプレイスクリーンハウジングの外側との間で延び、前記第1および第２ディスプレイスクリーンレールを上下にスライドするように構成されたスライド可能なヒンジピンであって、前記ディスプレイスクリーンハウジングは、前記スライド可能なヒンジピンによって、前記第１および第２ディスプレイスクリーンレールの間に移動可能に結合され、前記ディスプレイスクリーンハウジングは、前記第1および第２ディスプレイスクリーンレールに沿ってスライドするとともに前記第１および第２ディスプレイスクリーンレールの間で旋回する、スライド可能なヒンジピンと、
前記第１ディスプレイスクリーンレールに沿った前記ディスプレイスクリーンハウジングの動きを前記第２ディスプレイスクリーンレールに沿ったディスプレイスクリーンハウジングの動きに伝達する内部結合機構と、を備え、
前記内部連結機構は、
前記ヒンジロッドの第１端に結合された第１歯車と、
前記ヒンジロッドの第２端に結合された第２歯車と、
前記第１歯車と噛み合う第１ベルトであって、前記第１ディスプレイスクリーンレールの溝穴を通って延びる前記スライド可能なヒンジピンに結合された往復台を介して前記ディスプレイスクリーンハウジングに結合される、第１ベルトと、
前記第２歯車と噛み合う第２ベルトであって、前記第１および第２ディスプレイスクリーンレールに沿った前記ディスプレイスクリーンハウジングの移動が前記第１および第２ベルトの両方を前記ヒンジロッドと共に同時に回転させるように、前記第２ディスプレイスクリーンレールの溝穴を通って延びる前記スライド可能なヒンジピンに結合された往復台を介して前記ディスプレイスクリーンハウジングに結合される、第２ベルトと、を備える装置。
【請求項２】
前記第１ベルトおよび前記第２ベルトは歯付きベルトを備える、請求項１に記載の装置。
【請求項３】
前記第１ベルトおよび前記第２ベルトは、前記第１ディスプレイスクリーンレールおよび前記第２ディスプレイスクリーンレールのうちのそれぞれの１つの中に少なくとも部分的に配置される、請求項２に記載の装置。
【請求項４】
前記ディスプレイスクリーンハウジングは、前記ベースユニットの上面上に配置されたユーザ入力デバイスにユーザがアクセスするのを容易にする方向で前記第１ディスプレイスクリーンレールおよび前記第２ディスプレイスクリーンレールに沿ってスライドし、前記第１ディスプレイスクリーンレールおよび前記第２ディスプレイスクリーンレール上で旋回するようにされる、請求項１〜３のいずれか１項に記載の装置。
【請求項５】
前記ヒンジロッドの少なくとも一部を通って前記ディスプレイスクリーンハウジングと前記ベースユニットとの間に結合されたディスプレイスクリーンケーブルをさらに備え、前記ディスプレイスクリーンケーブルは、前記第１ディスプレイスクリーンレールおよび前記第２ディスプレイスクリーンレールに沿った前記ベースユニットに対するほぼ下向きの位置への前記ディスプレイスクリーンハウジングの移動に応じて、前記ディスプレイスクリーンハウジングの背後に実質的に隠される、請求項１〜４のいずれか１項に記載の装置。
【請求項６】
前記ディスプレイスクリーンケーブルは、前記第１ディスプレイスクリーンレールおよび前記第２ディスプレイスクリーンレールに沿った前記ベースユニットに対するほぼ上向きの位置への前記ディスプレイスクリーンハウジングの移動に応じて、前記ディスプレイスクリーンハウジングの背後から広がるようにされる、請求項５に記載の装置。
【請求項７】
前記ディスプレイスクリーンケーブルは、リボンタイプのケーブルである、請求項６に記載の装置。
【請求項８】
前記第１ディスプレイスクリーンレールまたは前記第２ディスプレイスクリーンレールのいずれかの前記溝穴を通って前記ベースユニットと前記ディスプレイスクリーンレールとの間に結合されたディスプレイスクリーンコイルケーブルをさらに備え、前記ディスプレイスクリーンコイルケーブルは、前記第１ディスプレイスクリーンレールおよび前記第２ディスプレイスクリーンレールに沿った前記ベースユニットに対する上向きの前記ディスプレイスクリーンハウジングの移動に応じて前記第１ディスプレイスクリーンレール内または前記第２ディスプレイスクリーンレール内で延びるようにされ、前記ディスプレイスクリーンコイルケーブルは、前記第１ディスプレイスクリーンレールおよび前記第２ディスプレイスクリーンレールに沿った前記ベースユニットに対する下向きの前記ディスプレイスクリーンハウジングの移動に応じて前記第１ディスプレイスクリーンレール内または前記第２ディスプレイスクリーンレール内のいずれかで縮むようにされる、請求項１〜４のいずれか１項に記載の装置。
【請求項９】
前記ディスプレイスクリーンハウジングの最下部と前記ベースユニットの前記後縁との間に結合されたシザージョイント機構をさらに備え、前記シザージョイント機構は、前記第１ディスプレイスクリーンレールおよび前記第２ディスプレイスクリーンレールに沿った前記ディスプレイスクリーンハウジングのそれぞれ上または下への移動に応じて開くようにまたは縮むようにされる、請求項１〜８のいずれか１項に記載の装置。
【請求項１０】
前記シザージョイント機構は、
前記ディスプレイスクリーンハウジングの最下部に結合されたスライド可能な第１水平シザージョイントレールであって、スライド可能な第１水平シザージョイントレールの各端で前記第１ディスプレイスクリーンレールおよび前記第２ディスプレイスクリーンレールにスライド可能に結合された、スライド可能な第１水平シザージョイントレールと、
前記第１水平シザージョイントレールの下に位置決めされた固定された第２水平シザージョイントレールと、
前記第１水平シザージョイントレールおよび前記第２水平シザージョイントレールにスライド可能に結合された端を有するシザージョイントアームのセットであって、前記シザージョイントアームのセットが実質的に折り畳まれた位置にあることに応じて、前記スライド可能な第１水平シザージョイントレールと固定された第２水平シザージョイントレールとの間の距離が減るように、前記第１ディスプレイスクリーンレールおよび前記第２ディスプレイスクリーンレールに沿った下向きのディスプレイスクリーンハウジングのスライドが、前記シザージョイントアームのセットを折り畳ませる、シザージョイントアームのセットと、を備える、請求項９に記載の装置。
【請求項１１】
前記第１ディスプレイスクリーンレールおよび前記第２ディスプレイスクリーンレールは、前記装置が閉じられた位置にあることに応じて、前記第１ディスプレイスクリーンレールおよび前記第２ディスプレイスクリーンレールの外面が前記ベースユニットの側壁とほぼ平坦になり、前記第１ディスプレイスクリーンレールおよび前記第２ディスプレイスクリーンレールの前端が前記ベースユニットの前縁とほぼ平坦になるような寸法を有する、請求項１〜１０のいずれか１項に記載の装置。
【請求項１２】
前記ヒンジロッドは、前記ディスプレイスクリーンレールと一体に形成されるヒンジロッドハウジングに結合される、請求項１〜１１のいずれか１項に記載の装置。
【請求項１３】
第１ディスプレイスクリーンレールと、
第２ディスプレイスクリーンレールと、
前記第１ディスプレイスクリーンレールと前記第２ディスプレイスクリーンレールとの間に配置されたディスプレイスクリーンハウジングであって、前記第１および第２ディスプレイスクリーンレールの内面と前記ディスプレイスクリーンハウジングの外面との間で延びるスライド可能なヒンジピンによって前記第１ディスプレイスクリーンレールおよび前記第２ディスプレイスクリーンレールにスライド可能および回転可能に結合される、ディスプレイスクリーンハウジングと、
前記第１ディスプレイスクリーンレールに沿ったディスプレイスクリーンハウジングの動きを前記第２ディスプレイスクリーンレールに沿った前記ディスプレイスクリーンハウジングの動きに伝動するようにされた内部連結機構と、を備え、
前記内部連結機構は、
ヒンジロッドと、
前記ヒンジロッドの一端に結合された第１歯車と、
前記ヒンジロッドの他端に結合された第２歯車と、
前記第１歯車と噛み合うようにされた第１ベルトであって、前記第１ディスプレイスクリーンレールの溝穴を通って延びるスライド可能なヒンジピンに結合された往復台を介して前記ディスプレイスクリーンハウジングに結合される、第１ベルトと、
前記第２歯車と噛み合うようにされた第２ベルトであって、前記第１ディスプレイスクリーンレールおよび前記第２ディスプレイスクリーンレールに沿ったディスプレイスクリーンのスライド移動が前記第１ベルト、前記第２ベルト、および前記ヒンジロッドを実質的に同時に回転させるように、前記第２ディスプレイスクリーンレールの溝穴を通って延びるスライド可能なヒンジピンに結合された往復台を介して前記ディスプレイスクリーンハウジングに結合される、第２ベルトと、を備える、装置。
【請求項１４】
前記第１ベルトおよび前記第２ベルトは歯付きベルトを備える、請求項１３に記載の装置。
【請求項１５】
前記ディスプレイスクリーンハウジングの下に位置決めされ、前記第１ディスプレイスクリーンレールおよび前記第２ディスプレイスクリーンレールに沿った前記ディスプレイスクリーンハウジングの位置の上または下へのスライドに応じてそれぞれ開きまたは縮むようにされた、シザージョイント機構をさらに備える、請求項１３又は１４に記載の装置。
【請求項１６】
ディスプレイスクリーンレールハウジング内に向かって開口する溝穴を有するディスプレイスクリーンレールハウジングであって、前記溝穴は、当該溝穴がディスプレイスクリーンハウジングの縁に面するように構成されるように当該ディスプレイスクリーンレールハウジングの内壁に沿って配置される、ディスプレイスクリーンレールハウジングと、
前記ディスプレイスクリーンレールハウジング内に位置決めされて、前記ディスプレイスクリーンレールハウジングのほぼ全長にわたって延びる歯付きベルトと、
前記ディスプレイスクリーンレールハウジングの第１端で前記ディスプレイスクリーンレールハウジング内に配置されて、前記歯付きベルトと噛み合うようにされた第１歯車と、
前記ディスプレイスクリーンレールハウジングの外側に延びるヒンジロッドであって、前記第１歯車が当該ヒンジロッドに同軸に結合され、前記ディスプレイスクリーンレールハウジングは、前記ヒンジロッドおよび前記第１歯車の軸回りに回転可能である、ヒンジロッドと、
前記ディスプレイスクリーンレールハウジングの反対端で前記ディスプレイスクリーンレールハウジング内に配置された第２歯車であって、前記歯付きベルト、前記第１歯車および前記第２歯車が同時に回転するように前記歯付きベルトに噛み合う第２歯車と、
前記歯付きベルトの回転に応じて往復台が前記ディスプレイスクリーンレールハウジングの内側で上下に前記歯付きベルトとともに移動するように、前記歯付きベルト上の一定の位置に結合された往復台と、
前記往復台に結合されたヒンジピンであって、前記ディスプレイスクリーンレールハウジングに面する前記ディスプレイスクリーンハウジングの前記縁への取り付けのために前記溝穴を通って延び、前記ディスプレイスクリーンレールハウジングに対して前記ディスプレイスクリーンハウジングが旋回することを可能にするように構成されたヒンジピンであり、前記ディスプレイスクリーンレールハウジング、前記歯付きベルト、前記往復台、および前記ヒンジピンは、前記ヒンジロッドの回転に応じて前記第１および第２歯車並びに歯付きベルトが回転して、前記ディスプレイスクリーンハウジングが前記ヒンジピン回りで自由に旋回する一方で前記ディスプレイスクリーンレールハウジングの前記溝穴に沿って前記ヒンジピンおよび前記ディスプレイスクリーンハウジングをスライドさせるために、前記ディスプレイスクリーンレールハウジングの内側で前記往復台および前記往復台に結合された前記ヒンジピンを前記歯付きベルトとともに上下に移動させるように、お互いに協力して配置される、ヒンジピンと、を備える装置。
【請求項１７】
前記ディスプレイスクリーンレールハウジング内の前記溝穴を通って前記ディスプレイスクリーンハウジングに結合されたディスプレイスクリーンコイルケーブルであって、前記溝穴に沿ったある方向への前記ディスプレイスクリーンハウジングのスライドに応じて前記コイルが前記ディスプレイスクリーンレールハウジング内で延び、前記溝穴に沿った反対方向への前記ディスプレイスクリーンハウジングのスライドに応じて前記コイルが前記ディスプレイスクリーンレールハウジング内で縮むようにされたディスプレイスクリーンコイルケーブルをさらに備える、請求項１６に記載の装置。
【発明の詳細な説明】
【技術分野】
【０００１】
関連出願の相互参照
２０１０年３月８日出願の米国特許出願第１２／７１９，６５１号、名称「ＡＤＪＵＳＴＡＢＬＥ  ＤＩＳＰＬＡＹ  ＳＣＲＥＥＮ  ＦＯＲ  Ａ  ＰＯＲＴＡＢＬＥ  ＣＯＭＰＵＴＩＮＧ  ＤＥＶＩＣＥ」、代理人整理番号ＭＴＣＷ００２００１に対する優先権が主張される。
【背景技術】
【０００２】
本明細書でそうではないと示されない限り、このセクションで説明される題材は、本願の特許請求の範囲に対する従来技術ではなく、このセクションの包含によって従来技術と認められるものではない。
【０００３】
ノートブックコンピュータがよりポータブルで耐久性があってユビキタスになるにつれて、自動車、バス、飛行機および列車での移動中に、狭苦しい区域を含むさまざまな位置でますます使用されるようになりつつある。よりコンパクトな区域（ユーザの前のシートバックがリクライニングされる時など）に収まるようにノートブックコンピュータのディスプレイスクリーンを調整するために、スクリーンを見ることを困難または不可能にするほどの角度までノートブックコンピュータのディスプレイスクリーンを折り畳むことがユーザに要求される場合がある。たとえば、図１Ａは、リクライニングされた商用航空機シート１０２の例の背後の折り畳み式シートバックトレイテーブル１０６に乗った例の従来技術のノートブックコンピュータ１１６の側面図である。リクライニングシート１０２が、ディスプレイスクリーンを完全に開くことを妨げていることに留意されたい。その結果、ベースユニット１１０とディスプレイスクリーン１０８との間の角度は、リクライニングシート１０２の背後のシートに座っているユーザがディスプレイスクリーンを見ることを困難にする角度になっている。したがって、より狭い区域でディスプレイスクリーンをより簡単に見ることを可能にする、ポータブルコンピュータデバイス用の調整可能ディスプレイスクリーンが必要である。
【発明の概要】
【課題を解決するための手段】
【０００４】
本開示は、調整可能ディスプレイスクリーンを含むポータブルコンピュータデバイス装置を説明する。いくつかの例の装置は、ヒンジロッドを含む後縁を有するベースユニットと、第１端および第２端を有する第１ディスプレイスクリーンレールであって、第１ディスプレイスクリーンレールの第１端が、ヒンジロッドでベースユニットの背面に回転可能に結合される、第１ディスプレイスクリーンレールと、第１ディスプレイスクリーンレールの第２端に移動可能に結合されたディスプレイスクリーンハウジングと、を備えてよい。
【０００５】
例の装置は、第１端および第２端を有する第２ディスプレイスクリーンレールであって、第２ディスプレイスクリーンレールの第１端は、ヒンジロッドでベースユニットの背面に回転可能に結合され、ディスプレイスクリーンハウジングは、また、第２ディスプレイスクリーンレールの第２端に移動可能に結合される、第２ディスプレイスクリーンレールを備えてよい。
【０００６】
連結器が、第１ディスプレイスクリーンレールに沿ったディスプレイスクリーンハウジングの動きを第２ディスプレイスクリーンレールに沿ったディスプレイスクリーンの動きに伝達するようにされてよい。連結器は、ヒンジロッドの第１端に結合された第１歯車と、ヒンジロッドの第２端に結合された第２歯車と、第１歯車と噛み合うようにされた第１歯付きベルトであって、第１歯付きベルトは、第１ディスプレイスクリーンレールに関連する第１溝穴を通ってディスプレイスクリーンハウジングに結合される、第１歯付きベルトと、第２歯車と噛み合うようにされた第２歯付きベルトであって、第２歯付きベルトは、第１ディスプレイスクリーンレールおよび第２ディスプレイスクリーンレールに沿ったディスプレイスクリーンの移動が第１歯付きベルトおよび第２歯付きベルトを両方ともヒンジロッドと共に同時に回転させるように、第２ディスプレイスクリーンレールに関連する第２溝穴を通ってディスプレイスクリーンハウジングに結合される、第２歯付きベルトと、を備えてよい。第１歯付きベルトおよび第２歯付きベルトは、第１ディスプレイスクリーンレールおよび第２ディスプレイスクリーンレールのうちのそれぞれの１つの中に少なくとも部分的に配置され得る。
【０００７】
ディスプレイスクリーンハウジングは、ベースユニットの上面上に配置されたユーザ入力デバイスにユーザがアクセスすることを容易にする方向に第１ディスプレイスクリーンレールおよび第２ディスプレイスクリーンレールに沿ってスライドし、第１ディスプレイスクリーンレールおよび第２ディスプレイスクリーンレール上で旋回するようにされ得る。
【０００８】
例の装置は、ヒンジロッドの少なくとも一部を通ってディスプレイスクリーンハウジングとベースユニットとの間に結合されたディスプレイスクリーンケーブルを備えてよく、ディスプレイスクリーンケーブルは、ディスプレイスクリーンハウジングが第１ディスプレイスクリーンレールおよび第２ディスプレイスクリーンレールに沿ってベースユニットに対してほぼ下向きの位置に移動させられる時に、ディスプレイハウジングの背後に実質的に隠される。ディスプレイスクリーンケーブルは、ディスプレイスクリーンハウジングが第１ディスプレイスクリーンレールおよび第２ディスプレイスクリーンレールに沿ってベースユニットに対してほぼ上向きの位置に移動させられる時に、ディスプレイスクリーンハウジングの背後から広がるようにされ得る。ディスプレイスクリーンケーブルは、リボンタイプのケーブルを備えてよい。いくつかの実施形態では、ディスプレイスクリーンコイルケーブルは、第１ディスプレイスクリーンレールまたは第２ディスプレイスクリーンレールのいずれかの中の溝穴を通ってベースユニットとディスプレイスクリーンレールとの間に結合されることが可能であり、ディスプレイスクリーンコイルケーブルは、ディスプレイスクリーンハウジングが第１ディスプレイスクリーンレールおよび第２ディスプレイスクリーンレールに沿ってベースユニットに対して上向きに移動させられる時に前記第１ディスプレイスクリーンレール内または前記第２ディスプレイスクリーンレール内で延びるようにされ、ディスプレイスクリーンコイルケーブルは、ディスプレイスクリーンが第１ディスプレイスクリーンレールおよび第２ディスプレイスクリーンレールに沿ってベースユニットに対して下向きに移動させられる時に第１ディスプレイスクリーンレール内または第２ディスプレイスクリーンレール内のいずれかで縮むようにされる。
【０００９】
例の装置は、ディスプレイスクリーンハウジングの最下部分とベースユニットの後縁との間に結合されたシザージョイント（ｓｃｉｓｓｏｒ  ｊｏｉｎｔ）機構を備えてよく、シザージョイント機構は、ディスプレイスクリーンハウジングが第１ディスプレイスクリーンレールおよび第２ディスプレイスクリーンレールに沿ってそれぞれ上または下に移動させられる時に開きまたは縮むようにされる。シザージョイント機構は、ディスプレイスクリーンハウジングの最下部に結合されたスライド可能な第１水平シザージョイントレールであって、スライド可能な第１水平シザージョイントレールの各端で第１ディスプレイスクリーンレールおよび第２ディスプレイスクリーンレールにスライド可能に結合された、スライド可能な第１水平シザージョイントレール、第１水平シザージョイントレールの下に位置決めされた固定された第２水平シザージョイントレール、および／または第１シザージョイントレールおよび第２シザージョイントレールにスライド可能に結合された端を有するシザージョイントアームのセットであって、シザージョイントアームのセットが実質的に折り畳まれた位置にある時に、スライド可能な第１水平シザージョイントレールと固定された第２水平シザージョイントレールとの間の距離が減るように、第１ディスプレイスクリーンレールおよび第２ディスプレイスクリーンレールに沿った下向きのディスプレイスクリーンのスライドが、シザージョイントアームのセットを折り畳ませる、シザージョイントアームのセットを備えてよい。
【００１０】
例の装置は、装置が閉じられた位置にある時に、第１ディスプレイスクリーンレールおよび第２ディスプレイスクリーンレールの外側面がベースユニットの側壁とほぼ平坦になり、第１ディスプレイスクリーンレールおよび第２ディスプレイスクリーンレールの前端がベースユニットの前縁とほぼ平坦になるような寸法を有する第１ディスプレイスクリーンレールおよび第２ディスプレイスクリーンレールを備えてよい。また、ヒンジロッドは、ディスプレイスクリーンレールと一体に形成されるヒンジロッドハウジングに結合され得る。
【００１１】
いくつかの例の装置は、第１ディスプレイスクリーンレールと、第２ディスプレイスクリーンレールと、第１ディスプレイスクリーンレールと第２ディスプレイスクリーンレールとの間に配置されたディスプレイスクリーンハウジングであって、ディスプレイスクリーンハウジングが、第１ディスプレイスクリーンレールおよび第２ディスプレイスクリーンレールにスライド可能および回転可能に結合される、ディスプレイスクリーンハウジングと、第１ディスプレイスクリーンレールに沿ったディスプレイスクリーンの動きを第２ディスプレイスクリーンレールに沿ったディスプレイスクリーンの動きに伝達するようにされた動き変換機構と、を備えてよい。動き変換機構は、ヒンジロッドと、ヒンジロッドの一端に結合された第１歯車と、ヒンジロッドのもう１つの端に結合された第２歯車と、第１歯車と噛み合うようにされた第１歯付きベルトであって、歯付きベルトは、第１ディスプレイスクリーンレールの第１溝穴を通ってディスプレイスクリーンハウジングに結合される、第１歯付きベルトと、第２歯車と噛み合うように適合された第２歯付きベルトであって、第２歯付きベルトは、第１ディスプレイスクリーンレールおよび第２ディスプレイスクリーンレールに沿ったディスプレイスクリーンのスライドする移動が第１歯付きベルト、第２歯付きベルト、およびヒンジロッドに実質的に同時に回転させるように、第２ディスプレイスクリーンレールの第２溝穴を通ってディスプレイスクリーンハウジングに結合される、第２歯付きベルトと、を備えてよい。シザージョイント機構は、ディスプレイスクリーンハウジングの下に位置決めされ、ディスプレイスクリーンハウジングの位置が第１ディスプレイスクリーンレールおよび第２ディスプレイスクリーンレールに沿って上または下にスライドさせられる時にそれぞれ開きまたは縮むようにされ得る。
【００１２】
いくつかの例の装置は、ディスプレイスクリーンレールハウジングの内壁に沿って配置された溝穴を有するディスプレイスクリーンレールハウジングと、ディスプレイスクリーンレールハウジング内に位置決めされた歯付きベルトと、歯付きベルトと噛み合うようにされた歯車であって、歯車は、ヒンジロッドに結合される、歯車と、歯付きベルトに結合された往復台と、溝穴を介するディスプレイスクリーンハウジングへの取り付けのために往復台に結合されたヒンジピンであって、ディスプレイスクリーンレールハウジング、歯付きベルト、往復台、およびヒンジピンは、ディスプレイスクリーンハウジングが溝穴に沿ってスライドする時に歯付きベルトが移動し、これによってヒンジロッドに取り付けられた歯車を回転するように、お互いに協力して配置される、ヒンジピンと、を備えてよい。ディスプレイスクリーンレールハウジング内の車輪は、ディスプレイスクリーンが溝穴に沿ってスライドする時に歯付きベルトが車輪を回転するように歯付きベルトと協力して配置され得る。ディスプレイスクリーンレールハウジング内に配置された歯車は、ディスプレイスクリーンが溝穴に沿ってスライドする時に歯付きベルトが歯車を回転するように歯付きベルトと協力して配置され得る。ディスプレイスクリーンコイルケーブルは、ディスプレイスクリーンレールハウジング内の溝穴を通ってディスプレイスクリーンハウジングに結合され、ディスプレイスクリーンが溝穴に沿ってある方向にスライドされる時にコイルがディスプレイスクリーンレールハウジング内で延び、ディスプレイスクリーンが溝穴に沿って反対方向にスライドされる時にコイルがディスプレイスクリーンレールハウジング内で縮むようにされ得る。
【００１３】
前述の概要は、例示的であるのみであって、いかなる形でも限定的であることは意図されていない。上で説明した例示的な態様、実施形態、および特徴に加えて、さらなる態様、実施形態、および特徴が、図面および次の詳細な説明を参照することによって明白になるであろう。
【００１４】
本開示の前述および他の特徴は、添付図面と共に解釈される以下の説明および添付の特許請求の範囲からより十分に明白になる。これらの図面が本開示による複数の実施形態のみを示し、したがってその範囲を限定すると考えられてはならないことを理解して、本開示を、添付図面の使用を介して追加の限定性および詳細を伴って説明する。
【図面の簡単な説明】
【００１５】
【図１Ａ】リクライニングされた商用航空機シートの例の背後の折り畳み式シートバックトレイテーブルに乗った例の従来技術のノートブックコンピュータを示す側面図である。
【図１Ｂ】リクライニングされた商用航空機シートの例の背後の折り畳み式シートバックトレイテーブルに乗った、本明細書で説明される少なくともいくつかの実施形態による例のノートブックコンピュータを示す側面図である。
【図１Ｃ】調整可能ディスプレイスクリーンが開かれて２つのレールの上で上向きにスライドさせられ、ユーザに面するように旋回させられた状態の図１Ｂのノートブックコンピュータを示す正面透視図である。
【図１Ｄ】調整可能ディスプレイスクリーンが部分的に閉じられて２つのレールの上で下向きにスライドさせられた状態の図１Ｂのノートブックコンピュータを示す正面透視図である。
【図２】調整可能ディスプレイスクリーンが閉じられた状態の図１Ｂのノートブックコンピュータを示す透視図である。
【図３】ディスプレイスクリーンが閉じられた状態の図１Ｂのノートブックコンピュータを示す拡大部分透視図であり、レールの１つの内部機構を示す。
【図４】ディスプレイスクリーンが開かれた状態の図１Ｂのノートブックコンピュータの拡大部分透視図であり、レールの１つの内部機構を示す。
【図５】図２に示されたレールの１つを示す正面断面図である。
【図６】図２に示された固定ヒンジを有するノートブックコンピュータの後部を示す側面断面図である。
【図７Ａ】調整可能ディスプレイスクリーンが開かれた状態の図１Ｂのノートブックコンピュータを示す背面透視図であり、畳まれたディスプレイスクリーンケーブル構成を示す。
【図７Ｂ】調整可能ディスプレイスクリーンが閉じられて２つのレールの上で部分的に前にスライドさせられた状態の図１Ｂのノートブックコンピュータを示す上面平面図であり、畳まれたディスプレイスクリーンケーブル構成を示す。
【図８Ａ】調整可能ディスプレイスクリーンが開かれた状態の図１Ｂのノートブックコンピュータを示す背面透視図であり、巻かれたディスプレイスクリーンケーブル構成を示す。
【図８Ｂ】調整可能ディスプレイスクリーンが閉じられて２つのレールの上で部分的に前にスライドされた状態の図８Ａのノートブックコンピュータを示す上面平面図であり、レールのうちの１つの中の巻かれたディスプレイスクリーンケーブルを示す。
【図９】調整可能ディスプレイスクリーンが開かれて２つのレールの上で上向きにシザージョイント安定化要素の上にスライドされた状態のノートブックコンピュータを示す正面透視図である。
【図１０Ａ】調整可能ディスプレイスクリーンが１８０°開かれて２つのレールの上で上向きに完全にスライドさせられた状態の図９のノートブックコンピュータを示す上面平面図であり、完全に開かれたシザージョイントを示す。
【図１０Ｂ】調整可能ディスプレイスクリーンが１８０°開かれて２つのレールの上で部分的に下にスライドされた状態の図９のノートブックコンピュータを示す上面平面図であり、部分的に折り畳まれたシザージョイントを示す。
【図１０Ｃ】調整可能ディスプレイスクリーンが１８０°開かれて２つのレールの上で完全に下にスライドされた状態の図９のノートブックコンピュータを示す上面平面図であり、完全に折り畳まれたシザージョイントを示す。
【図１１】調整可能ディスプレイスクリーンが開かれて１つのレールの上で上向きにスライドさせられてユーザに面するように旋回させられた状態のノートブックコンピュータを示す正面透視図である。
【発明を実施するための形態】
【００１６】
図１Ｂ〜図１１は、すべてが、本明細書で説明される少なくともいくつかの実施形態に従って構成されている。
【００１７】
以下の詳細な説明では、本明細書の一部を形成する添付図面を参照する。図面では、文脈がそうではないと規定しない限り、同様の符号が通常は同様の構成要素を識別する。発明を実施するための形態、図面、および特許請求の範囲で説明される例示的実施形態は、限定的であることを意図されたものではない。本明細書で提示される主題の趣旨または範囲から逸脱せずに、他の実施形態を利用することができ、他の変更を行うことができる。全般的に本明細書で説明され、図面に図示される本開示の態様を、さまざまな異なる構成で配置し、置換し、組み合わせ、分離し、設計することができ、そのすべてが本明細書で明示的に企図されていることが、たやすく理解されるであろう。
【００１８】
本開示は、全般的に、とりわけノートブックコンピュータまたはラップトップコンピュータなどのポータブルコンピュータ用の調整可能ディスプレイスクリーンに関する方法、装置、システム、およびデバイスに向けられる。
【００１９】
短く述べると、１つまたは複数のディスプレイスクリーンレールがノートブックコンピュータベースユニットの後縁に回転可能に取り付けられてよい。ノートブックコンピュータのディスプレイスクリーンは、ノートブックコンピュータのユーザにディスプレイスクリーンを向けると同時にベースユニットの上面に配置されたキーボードにユーザがアクセスするための余地を残す方向に、ディスプレイスクリーンレール（１つまたは複数）に沿ってスライドし、そのレール上で旋回することができる。たとえば、図１Ｂに示されているのは、リクライニングされた商用航空機シート１０２の例の背後の折り畳み式シートバックトレイテーブル１０６に乗った、本明細書で説明される少なくともいくつかの実施形態による例のノートブックコンピュータ１００の側面図である。ノートブックコンピュータ１００は、ヒンジ１１２でノートブックコンピュータベースユニット１０１の後縁に回転可能に取り付けられた少なくとも１つのディスプレイスクリーンレール１０９を有する。ディスプレイスクリーン１０５が、ディスプレイスクリーンレール１０９に沿ってリクライニングされたシート１０２の背面から離れて前方位置にスライドされていることに留意されたい。ディスプレイスクリーン１０５は、ベースユニット１０１上のキーボードまたはタッチパッドなどの入力デバイスにユーザがアクセスするために十分なベースユニット１０１上の余地をそれでも提供しながら、視角を改善するために上に旋回させられてもいる。
【００２０】
２レールの実施態様では、ノートブックコンピュータ１００は、第１ディスプレイスクリーンレール１０９に沿ったディスプレイスクリーン１０５の動きを第２ディスプレイスクリーンレール１０７に沿ったディスプレイスクリーン１０５の動きに伝達し（図１Ｃを参照されたい）、これによってディスプレイスクリーンがディスプレイスクリーンレールに沿ってスライドする時にディスプレイスクリーンが動かなくなることを防止するのに役立つ連結器などの機構を有することができる。
【００２１】
次に図１Ｃを参照すると、調整可能ディスプレイスクリーン１０５が開かれて２つのレール１０７、１０９上で上向きにスライドさせられ、ユーザに面するように旋回させられた状態の、本明細書で説明される少なくともいくつかの実施形態によるポータブルコンピュータデバイス（たとえば、ノートブックコンピュータ１００）の正面透視図が示されている。図１Ｃに示されているのは、ノートブックコンピュータベースユニット１０１、ディスプレイスクリーン１０３、ディスプレイスクリーンハウジング１０５、ディスプレイスクリーンレール１０７および１０９、固定ヒンジ１１１および１１２、ヒンジロッド１１３、ヒンジロッドハウジング１１５、コンピュータディスプレイスクリーンケーブル１１７、ならびにキーボードエリア１２１を有する例のノートブックコンピュータ１００である。固定ヒンジ１１１および１１２は、反対端の近くにキーボードエリア１２１を有するノートブックコンピュータベースユニット１０１の一端に結合されてよく、あるいは、いくつかの例では、これと一体に形成されてよい。固定ヒンジ１１１および１１２は、ヒンジロッドハウジング１１５の内部を通過するヒンジロッド１１３を有する。ヒンジロッドハウジング１１５は、固定ヒンジ１１１および１１２でヒンジロッド１１３に回転可能に結合されて、ヒンジロッド１１３回りに旋回し得る。２つのディスプレイスクリーンレール１０７および１０９が、ヒンジロッドハウジング１１５に結合され、またはその代わりにこれと一体に形成される。ディスプレイスクリーンレール１０７および１０９は、ヒンジロッドハウジング１１５にほぼ垂直に外向きに延び、ヒンジロッド１１３回りで同時に回転するようにされ得る。ディスプレイスクリーンレール１０７および１０９ならびに／またはヒンジロッドハウジング１１５は、たとえばポリマプラスティックなどの硬い材料または追加の剛性のためにアルミニウムなどの金属から形成されてよい。
【００２２】
ディスプレイスクリーンレール１０７と１０９との間には、ノートブックコンピュータディスプレイスクリーン１０３を保持するディスプレイスクリーンハウジング１０５が配置されている。ディスプレイスクリーンハウジング１０５は、各ディスプレイスクリーンレール１０７および１０９の内部に沿って縦に走る溝１１９を介してディスプレイスクリーンレール１０７および１０９にスライド可能におよび／または回転可能に結合されることができる。ノートブックコンピュータ１００を、手動で開き、ノートブックコンピュータベースユニット１０１の上のディスプレイスクリーン１０３の高さを調整するためにディスプレイスクリーン１０３をレール１０７および１０９に沿ってスライドさせ、また、ノートブックコンピュータ１００の前に座っているユーザに対するディスプレイスクリーン１０３の距離および角度を変更するためにレール１０７および１０９ならびにディスプレイスクリーン１０３を独立に前後に手動で旋回させることができる。溝１１９の長さおよび位置は、ディスプレイスクリーンハウジング１０５がレール１０７および１０９に沿って下にスライドして、ディスプレイスクリーンハウジング１０５の上縁がレール１０７および１０９の上端と同じ高さの状態で閉じられて旋回することができるように選択されてよい（図２を参照されたい）。
【００２３】
ディスプレイスクリーン１０３は、ノートブックコンピュータディスプレイスクリーンなどのポータブルデバイス内で使用可能で適切な薄いフラットパネルなど（たとえば、液晶ディスプレイすなわちＬＣＤ）、任意のさまざまなものとすることができる。コンピュータディスプレイスクリーンは、ディスプレイスクリーンケーブル１１７を介してノートブックコンピュータベースユニット１０１に動作可能に結合されることができる。ディスプレイスクリーンケーブル１１７は、たとえば、ベースユニット１０１のハウジング内の開口１２３を通ってノートブックコンピュータベースユニット１０１内のグラフィックスコンポーネントに結合され得る、弾力があるが柔軟なリボンタイプのケーブルとすることができる。ヒンジロッドハウジング１１５は、それを通ってディスプレイスクリーンケーブル１１７がノートブックコンピュータベースユニット１０１からディスプレイスクリーン１０３へ移動することができる入口開口１２５および出口開口１２７を有することができる。
【００２４】
次に図１Ｄを参照すると、調整可能ディスプレイスクリーン１０３が部分的に閉じられて２つのレール１０７および１０９の上で下向きにスライドさせられた状態の、例の実施形態による図１Ｂのノートブックコンピュータ１００の正面透視図が示されている。ディスプレイスクリーンレール１０７および１０９は、ヒンジロッド１１３回りにディスプレイスクリーンレール１０７および１０９の旋回およびディスプレイスクリーンレール１０７および１０９に回転可能に取り付けられたディスプレイスクリーンハウジング１０５の下向きの旋回によって、図１Ｃに示された角度より小さい、ノートブックコンピュータベースユニット１０１に対する角度を有するように図示されている。いくつかの例では、ディスプレイスクリーン１０３の旋回およびスライドを、ユーザが下向きで固定ヒンジ１１１および１１２に向かう圧力をディスプレイスクリーンハウジング１０５に加えることによって容易にすることができる。ディスプレイスクリーン１０３は、ユーザがノートブックコンピュータ１００の前に座っている間にユーザが上向きでユーザに向かってディスプレイスクリーンハウジング１０５を引くことによって、反対方向に調整されて旋回することもできる。この形で、ディスプレイスクリーン１０３とユーザとの間の距離を縮めると同時に、ユーザがキーボードエリア１２１にアクセスするのに十分なディスプレイスクリーン１０３の下の余地とディスプレイスクリーン１０３の正しい視角との両方を提供することができる。そのような位置のディスプレイスクリーン１０５の例が、図１Ｂおよび１Ｃに示されており、この位置は、たとえば自動車、飛行機、バス、または列車で移動中、ユーザの前の人のシートバックがリクライニングされた位置にある時に、狭苦しい区域でディスプレイスクリーンをより簡単に見るのに有用でもあり得る。
【００２５】
次に図２を参照すると、調整可能ディスプレイスクリーンを閉じることができる、いくつかの例の実施形態による、図１Ｂのノートブックコンピュータ１００の透視図が示されている。図２に示されているように、ディスプレイスクリーンレール１０７、１０９は、ノートブックコンピュータが閉じられた時にディスプレイスクリーンレール１０７、１０９の前端および側端がノートブックコンピュータベースユニット１０１の前端および側端と平坦になる幅および長さを有する。
【００２６】
次に図３を参照すると、図１Ｂのコンピュータ１００などの例のノートブックコンピュータの拡大部分透視図が示されている。図示されているように、ディスプレイスクリーン１０５は、本明細書で説明される少なくともいくつかの例の実施形態に係るディスプレイスクリーンレール１０９の内部結合機構の図と共に、閉じられた位置にある。図３には、ノートブックコンピュータベースユニット１０１、ディスプレイスクリーンレール１０９、ディスプレイスクリーンレール溝１１９、固定ヒンジ１１２、ヒンジロッド１１３、ヒンジロッドハウジング１１５、歯付きベルト３０１、スライド可能ヒンジ往復台３０３、スライド可能ヒンジピン３０５、第１歯車３０７、第２歯車３０９、および歯車ピン３１１が示されている。
【００２７】
第１歯車３０７は、固定ヒンジ１１２内のヒンジロッド１１３の端を囲むようにされ、これに固定的に結合されてもよく、その結果、第１歯車３０７の回転が、ヒンジロッドハウジング１１５内でのヒンジロッド１１３の回転を引き起こし得る。その代わりに、第１歯車３０７は、ヒンジロッド３０７回りで自由に回転可能なようにヒンジロッドに回転可能に結合され得る。
【００２８】
第２歯車３０９は、ディスプレイスクリーンアーム１０９内で歯車ピン３１１に回転可能に結合され、その結果、歯車ピン３１１回りに回転可能である。ディスプレイスクリーンアーム１０９の前面の近くでヒンジロッド１１３と反対のディスプレイスクリーンアーム１０９の内側側壁に固定して歯車ピン３１１を結合することができ、歯車ピン３１１は、第２歯車３０９を第１歯車３０７と一直線に位置決めする。第１歯車３０７、第２歯車３０９、および歯車ピン３１１は、追加の耐久性のために耐久性のあるポリマプラスティックまたはアルミニウムなどの非常に硬い材料から形成されてよい。歯付きベルト３０１は、ディスプレイスクリーンアーム１０９の内側の両端で第１歯車３０７と第２歯車３０９との両方と噛み合うようにされ、したがって、歯付きベルト３０１が移動する時に歯車３０７および３０９ならびにヒンジロッド３０７の同時の回転を容易にする。その代わりに、第２歯車３０９ではなく、車輪の外側の縁の回りに溝を有する滑らかな車輪を、歯車ピン３１１に回転可能に結合することができる。歯付きベルト３０１は、車輪が回転する時に車輪内の溝を通って走ることができる。ヒンジロッド１１３、第１歯車３０７、第２歯車３０９、歯付きベルト３０１、および歯車ピン３１１の寸法および構成は、これらがディスプレイスクリーンレール１０９および固定ヒンジ１１２内に収まり、滑らかに動作することを可能にする。
【００２９】
スライド可能ヒンジ往復台３０３は、歯付きベルト３０１の内側に固定して結合され、スライド可能ヒンジピン３０５の一端にも固定して結合される。スライド可能ヒンジピン３０５は、スライド可能ヒンジ往復台３０３からディスプレイスクリーンレール１０９の内側側面内の溝１１９を通って延びることができる。ディスプレイスクリーンハウジング１０５は、ディスプレイスクリーンレール１０９内の溝１１９を通って延びるスライド可能ヒンジピン３０５の他端に回転可能に結合されることが可能であり、したがって、ディスプレイスクリーンがディスプレイスクリーンレール１０９に沿ってハウジング１０５にスライドされる時に歯付きベルトの動きを容易にする形でスライド可能ヒンジ往復台３０３がディスプレイスクリーンハウジング１０５に結合されることが可能である。
【００３０】
複数のレールが特定の実施態様で利用される場合、図３でディスプレイスクリーンレール１０９内に図示されたものに類似する機構が、反対のディスプレイスクリーンレール１０７（図３には図示せず）内にあってもよい。したがって、歯付きベルト３０１の移動は、ヒンジロッド１１３の回転をもたらし、これによって、反対のディスプレイスクリーンレール１０７内の歯付きベルトを同時に移動させ、反対のディスプレイスクリーンレール１０７に沿ってディスプレイスクリーンハウジングを引っ張ることができる。ディスプレイスクリーンレール１０７および１０９内の両方の内部機構の実質的に同時の移動は、ディスプレイスクリーンハウジング１０５がディスプレイスクリーンレール１０７および１０９に沿ってスライドする時のディスプレイスクリーンハウジング１０５の両側でのほぼ等しい比率での力の分配を容易にし、これによって、第１ディスプレイスクリーンレール１０７に沿ったディスプレイスクリーンハウジング１０５の動きを第２ディスプレイスクリーンレール１０９に沿ったディスプレイスクリーンハウジング１０５の動きに伝達し（逆も同様）、ディスプレイスクリーンレール１０７および１０９に沿ってスライドする時にディスプレイスクリーンハウジング１０５が動かなくなることを減らすことができる。スライド可能ヒンジ往復台３０３、スライド可能ヒンジピン３０５の寸法は、これらがディスプレイスクリーンレール１０９内に収まり、滑らかに動作することを可能にするように選択されてよい。
【００３１】
複数のレールを使用する実施態様について、上で説明したものに似て、一方のディスプレイスクリーンレール１０７に沿ったディスプレイスクリーン１０３の動きを他方のディスプレイスクリーンレール１０９に沿ったディスプレイスクリーン１０３の動きにおよびその逆に伝達することによってスライドするディスプレイスクリーン１０３が動かなくなることを防止するようにすることができる、歯車、プーリー、ワイヤ、トラック、車輪、駆動軸、ベルト、その他などの機構の他の構成を利用することもできる。
【００３２】
次に図４を参照すると、ディスプレイスクリーン１０３が開かれた状態のいくつかの例の実施形態による図１Ｂのノートブックコンピュータ１００の拡大部分透視図が示されており、一方のレール１０９の内部機構を示す。図４には、ディスプレイスクリーンレールに沿ってスライドしながらスライド可能ヒンジピン３０５上で旋回するディスプレイスクリーンハウジング１０５が示されている。ディスプレイスクリーンレールが、ディスプレイスクリーンハウジング１０５がディスプレイスクリーンレールに沿ってスライドされた結果として、ヒンジロッド１１３が回転する時にヒンジロッド１１３で旋回してもよいことに留意されたい。
【００３３】
次に図５を参照すると、いくつかの例の実施形態による、図２に示されたレールの１つの正面断面図が示されている。ディスプレイスクリーンレール１０９の後端でヒンジロッドハウジング１１５を通過する時のヒンジロッド１１３が示されている。ヒンジロッド１１３を囲む第１歯車３０７と噛み合う時の歯付きベルト３０１も示されている。
【００３４】
次に図６を参照すると、いくつかの例の実施形態による、図２に示された固定ヒンジを有するノートブックコンピュータ１００の後部の側面断面図が示されている。閉じられた位置のディスプレイスクリーンレール１０９および内部の歯付きベルト３０１を有する１つの図と、開かれた垂直位置のディスプレイスクリーンレール１０９’および内部の歯付きベルト３０１’の１つの図と、が示されている。これは、第１歯車３０７および歯付きベルト３０１などのディスプレイスクリーンレール１０９の内部機構がディスプレイスクリーンレール１０９自体の旋回と独立に動作できる間にディスプレイスクリーンレール１０９がヒンジロッド１１３上でどのように旋回するのかを示す。
【００３５】
次に図７Ａを参照すると、調整可能ディスプレイスクリーンハウジング１０５が上にスライドされた、折り畳まれたディスプレイスクリーンケーブル１１７構成を示す、いくつかの例の実施形態による図１Ｂのノートブックコンピュータ１００の背面透視図が示されている。ノートブックコンピュータベースユニット１０１の背壁からヒンジロッドハウジング１１５を通ってディスプレイスクリーンハウジング１０５の背後のディスプレイスクリーンに移動するディスプレイスクリーンケーブル１１７が示されている。
【００３６】
次に図７Ｂを参照すると、調整可能ディスプレイスクリーンハウジング１０５が下に畳まれ、２つのレール１０７および１０９の上で部分的に前にスライドされた、いくつかの例の実施形態による折り畳まれたディスプレイスクリーンケーブル構成を示す、図１Ｂのノートブックコンピュータ１００の上面平面図が示されている。図７Ｂには、ディスプレイスクリーンハウジング１０５の背後で折り畳まれたディスプレイスクリーンケーブル（たとえば、リボンタイプのケーブルを含むがこれに限定されない）が示されている。ディスプレイスクリーンハウジング１０５がレール１０７および１０９に沿って下にスライドされる時に折り畳まれた形でディスプレイスクリーンケーブル１１７を隠すことができるように、ディスプレイスクリーンの背後でディスプレイスクリーンハウジング１０５内に十分な幅の空間があるものとすることができる。柔軟なリボンタイプのディスプレイスクリーンケーブル１１７を、ケーブル１１７がヒンジロッドハウジング１１５の側面からディスプレイスクリーンハウジング１０５の内部でディスプレイスクリーンへ走る時にケーブル１１７のねじれを防ぐのを助けるのに十分に幅広く、十分に弾力があるものとすることができる。ヒンジロッドハウジング１１５内の出口開口を、リボンタイプのディスプレイスクリーンケーブル１１７がそれを通過するのに十分に大きいが、ディスプレイスクリーンケーブル１１７がディスプレイスクリーンハウジング１０５内でディスプレイスクリーンに走る時にディスプレイスクリーンケーブル１１７のねじれを防ぐのをさらに助けるのに十分に小さいスリットとすることができる。この形で、ディスプレイスクリーンハウジング１０５がレール１０７および１０９に沿って完全に下にスライドされる時のディスプレイスクリーンハウジング１０５の最下部とヒンジロッドハウジング１１５の側面との間でのディスプレイスクリーンケーブル１１７のねじれおよび可能な締め付けを、少なくとも部分的に防ぐことができる。
【００３７】
ディスプレイスクリーンハウジング１０５がレール１０７および１０９に沿って完全に下にスライドされる時に、ディスプレイスクリーンハウジング１０５内でディスプレイスクリーンの背後でディスプレイスクリーンケーブル１１７を折り畳むことによって、ディスプレイスクリーンハウジング１０５内でディスプレイスクリーンケーブル１１７を保護することもできる。ディスプレイスクリーンハウジング１０５がレール１０７および１０９に沿って上にスライドされる時に、ディスプレイスクリーンケーブル１１７に対する結果の張力は、ディスプレイスクリーンケーブル１１７に広がらせ、ディスプレイスクリーンハウジング１０５の最下部を通って外に延びさせる（図７Ａを参照されたい）。
【００３８】
ディスプレイスクリーンケーブル１１７が、リボンタイプのディスプレイスクリーンケーブル１１７である場合には、ディスプレイスクリーンケーブル１１７は、ヒンジロッドハウジング１１５を通過する間にねじれ（図１Ｃをも参照されたい）、ディスプレイレール１０７および１０９が旋回する時に、ケーブルのうちでノートブックコンピュータベースユニット１０１とヒンジロッドハウジング１１５との間の部分（ノートブックコンピュータに限定はされないが）が、正しく曲がる位置になる場合があるが、ディスプレイスクリーンハウジング１０５がレール１０７および１０９に沿って下にスライドされる時にディスプレイスクリーンハウジング１０５の背後で正しく折り畳まれることも可能である。ヒンジロッドハウジング１１５を通過する間のリボンタイプのディスプレイスクリーンケーブル１１７のねじれを、ヒンジロッドハウジング１１５内の入口スリット開口と比較して９０°の角度であるヒンジロッドハウジング１１５内の出口スリット開口をディスプレイスクリーンリボンタイプケーブル１１７が通過することによって引き起こすことができる。
【００３９】
次に図８Ａを参照すると、調整可能ディスプレイスクリーンハウジング１０５が上にスライドされた、巻かれたディスプレイスクリーンケーブル構成を示す、いくつかの実施形態による図１Ｂのノートブックコンピュータ１００の背面透視図が示されている。示されているのは、ディスプレイスクリーンレール１０７内およびヒンジロッドハウジング１１５内に配置された巻かれたディスプレイスクリーンケーブル８０１である。巻かれたディスプレイスクリーンケーブル８０１を、ディスプレイスクリーンケーブル８０１の一端が引っ張られまたは解放される時にスプリング様の形で延び、収縮できるように、電話送受器コードに似た形で巻くことができる。また、巻かれたディスプレイスクリーンケーブル８０１を、ディスプレイスクリーンレール１０７および１０９のいずれか１つの中に配置することができる。
【００４０】
次に図８Ｂを参照すると、調整可能ディスプレイスクリーンハウジング１０５が下に畳まれ、２つのレール１０７および１０９の上で部分的に前にスライドされた、レールの１つ１０７内の巻かれたディスプレイスクリーンケーブル８０１を示す、いくつかの例の実施形態による図８Ａのノートブックコンピュータの上面平面図が示されている。巻かれたディスプレイスクリーンケーブルは、ノートブックコンピュータベースユニット１０１の後側壁（図８Ａを参照されたい）からヒンジロッドハウジング１１５の後側壁内の開口を通り、ディスプレイスクリーンレール１１５の内部を通って走ることができる（ディスプレイスクリーンレール１１５内および固定されたヒンジハウジング１１５内のすべての機構に触れずに通過する）。巻かれたディスプレイスクリーンケーブル８０１は、ディスプレイスクリーンハウジング１０５の側壁を通ってディスプレイスクリーンに接続するために、ディスプレイスクリーンレール１０７の内壁上の溝１１９を通って出ることができる。
【００４１】
ディスプレイスクリーンハウジング１０５がディスプレイスクリーンレール１０７および１０９に沿って前後にスライドする時に、巻かれたディスプレイスクリーンケーブル８０１は、ディスプレイスクリーンレール１０７内で延び、かつ／または収縮することができる。巻かれたディスプレイスクリーンケーブル８０１の滑りまたはディスプレイスクリーンレール１０７もしくはヒンジロッドハウジング１１５の他の内部機構との巻かれたスプレイスクリーンケーブル８０１のもつれを防ぐために、巻かれたディスプレイスクリーンケーブル１１７の諸部分を、ディスプレイスクリーンレール１０７の内壁および／またはヒンジロッドハウジング１１５の内壁に固定することもできる。
【００４２】
代替ディスプレイスクリーンケーブル構成は、ノートブックコンピュータベースユニット１０１につながるディスプレイスクリーンケーブルに接続された、１つまたは複数のディスプレイスクリーンレール１０７および１０９の内部に沿った導電材料の１つまたは複数のストリップを含むことができる。ディスプレイスクリーンレール１０７および１０９のうちの１つまたは複数の内部に沿ったこれらの導電材料の１つまたは複数のストリップを、ディスプレイスクリーンレール１０７および／または１０９のうちの１つまたは複数内の溝１１９を通ってディスプレイスクリーンレール１０７および／または１０９のうちの１つまたは複数の中へ延びることができるディスプレイスクリーンのコネクタ上の導電材料との接触を介して、ディスプレイスクリーン１０３に電気的に結合することができる。この配置は、ディスプレイスクリーンハウジング１０５がディスプレイスクリーンレール１０７および／または１０９に沿ってスライドする時のディスプレイスクリーンとベースユニット１０１との間の連続的な（またはほぼ連続的な）導電性を容易にすることができる。
【００４３】
次に図９を参照すると、調整可能ディスプレイスクリーン１０３が開かれ、２つのレール１０７および１０９の上で上向きにシザージョイント安定化要素９０５の上にスライドさせられた、いくつかの例の実施形態によるノートブックコンピュータ１００の正面透視図が示されている。示されているのは、さらに上シザージョイントレール９０１および下シザージョイントレール９０３ならびに交差したシザージョイントアームのセット９０５を有する、図１Ｂのコンピュータノートブックの構成要素である。上シザージョイントレール９０１は、ディスプレイスクリーンハウジング１０５の下に配置され、ディスプレイスクリーンレール１０７と１０９との間で横に位置決めされ、ディスプレイスクリーンハウジング１０５の下縁に平行に位置決めされてもいる。上シザージョイントレール９０１は、上シザージョイントレール９０１の両端でディスプレイスクリーンレール１０７および１０９にスライド可能に結合される。上シザージョイントレール９０１は、上シザージョイントレールがディスプレイスクリーンハウジング１０５と一緒にディスプレイスクリーンレール１０７、１０９に沿ってスライドできるように、ディスプレイスクリーンハウジング１０５の下縁に固定して結合もされる。また、ディスプレイスクリーンハウジング１０５の最下部と上シザージョイントレール９０１との間には、ディスプレイスクリーンレール１０７および１０９上でのディスプレイスクリーンハウジング１０５の旋回を可能にするのに十分な空間がある。
【００４４】
下シザージョイントレール９０３を、上シザージョイントレール９０１の下に配置し、ディスプレイスクリーンレール１０７、１０９の間で横に上シザージョイントレール９０１に平行に位置決めすることができる。下シザージョイントレール９０３は、ディスプレイスクリーンハウジングの移動が下シザージョイントレール９０３の移動を引き起こさないように、ディスプレイスクリーンレール１０７、１０９に固定して結合されてよい。また、いくつかの例の実施形態では、ディスプレイスクリーンコード１１７は、ディスプレイスクリーンハウジング１０５の背後でディスプレイスクリーン１０３に結合するために、ノートブックコンピュータベースユニット１００から下シザージョイントレールを通ってシザージョイントアームのセット９０５の背後を移動するようにすることができる。いくつかの代替案では、図８Ａおよび８Ｂに示されたものなどの巻かれたディスプレイスクリーンケーブル構成を使用することができる。
【００４５】
上シザージョイントレール９０１に沿って水平に整列されたシザージョイントレール溝穴９０７および下シザージョイントレール９０３に沿って水平に整列されたシザージョイントレール溝穴９１１がある。シザージョイントアームのセット９０５の端は、これらのシザージョイントレール溝穴９０７および９１１で、上シザージョイントレール９０１および下シザージョイントレール９０３にスライド可能に結合される。したがって、シザージョイントレールアームのセット９０５の端は、ディスプレイスクリーンハウジング１０５がディスプレイスクリーンレール１０７および１０９に沿ってスライドする時にシザージョイントレール溝穴９０７および９１１に沿って水平にスライドする。
【００４６】
次に図１０Ａ、１０Ｂ、および１０Ｃを参照すると、調整可能ディスプレイスクリーンが１８０°開かれ、２つのディスプレイスクリーンレール１０７および１０９の上でそれぞれ上に完全にスライドされ、部分的に下にスライドされ、および完全に下にスライドされた、図９のノートブックコンピュータに似たノートブックコンピュータの３つの上面平面図が示されている。上下のシザージョイントレール９０７および９１１ならびにシザージョイントアームのセット９０５は、ディスプレイスクリーンハウジング１０５がディスプレイスクリーンレール１０７および１０９に沿ってスライドされる時に、ディスプレイスクリーンレール１０７および１０９に追加の安定性および交差支持を提供することができる。
【００４７】
シザージョイントアームのセット９０５が、２つの交差した部材を備えることが可能であり、この交差した部材は、その交差点で回転可能に取り付けられ、その端は、上下のシザージョイントレール９０７および９１１に沿って水平に移動し、これによって、シザージョイントアームのセット９０５の角度を上下のシザージョイントレール９０７および９１１に対して増減させることに留意されたい。ディスプレイスクリーンハウジング１０５がディスプレイスクリーンレール１０７および１０９上で完全に上向きにスライドさせられる時に（図１０Ａを参照されたい）、例のシザージョイント部材９１３は、上下のシザージョイントレール９０７および９１１に垂直により近くなることができる。対照的に、ディスプレイスクリーンハウジング１０５がディスプレイスクリーンレール１０７および１０９上で完全に下にスライドさせられる時に（図１０Ｃを参照されたい）、例のシザージョイント部材９１３は、上下のシザージョイントレール９０７および９１１に平行により近くなることができる。上下のシザージョイントレール９０７および９１１ならびに／またはシザージョイントアームのセット９０５は、たとえば追加の剛性のためにポリマプラスティックまたはアルミニウムなどの硬い材料から作ることができる。
【００４８】
次に図１１を参照すると、調整可能ディスプレイスクリーンが開かれ、１つのレールの上で上向きにスライドされ、ユーザに面するように旋回させられた、ノートブックコンピュータの正面透視図が示されている。ディスプレイスクリーンレール１１０３の一端は、ノートブックコンピュータ１００の背後のヒンジ１１０１でノートブックコンピュータベースユニット１０１に回転可能に結合される。ディスプレイスクリーンハウジング１０５を、ディスプレイスクリーンレール１１０３の一端に回転可能に取り付けられた往復台１１０５がスライド可能に結合されるテレスコープ式ディスプレイスクリーンレール１１０３またはアームに、ディスプレイスクリーンハウジング１０５の側面に沿って走る少なくとも１つの溝穴を介してスライド可能におよび／または回転可能に結合することができる。ノートブックコンピュータ１００を手動で開き、ディスプレイスクリーンハウジング１０５を上向きおよび／または外向きに引いて、入れ子式ディスプレイスクリーンレール１１０３を延ばして、ノートブックコンピュータベースユニット１０１およびキーボードエリア１２１の上のディスプレイスクリーンハウジング１０５の高さを調整することができる。また、レール１１０３およびディスプレイスクリーンハウジング１０５を手動で前後に独立に旋回させて、ノートブックコンピュータ１００の前に座っているユーザに対するディスプレイスクリーンハウジング１０５の距離および角度を変更することができ、また、ベースユニット１０１に面し、平行になるようにディスプレイスクリーンハウジングレール１１０３上でディスプレイスクリーンハウジングを旋回することと、その後、入れ子式ディスプレイスクリーンレール１１０３上でディスプレイスクリーンハウジングを下げることによってノートブックコンピュータを閉じることができる。
【００４９】
本開示は、さまざまな態様の例示であることを意図された、本願で説明される特定の実施形態に関して限定されてはならない。当業者に明白であるように、多数の修正形態および変形形態が、その趣旨および範囲から逸脱せずに形成され得る。本開示の範囲内の機能的に同等の方法および装置は、本明細書に列挙された方法および装置に加えて、前述の説明から当業者に明白であろう。そのような修正形態および変形形態は、添付の特許請求の範囲に含まれることが意図されている。本開示は、添付の特許請求の範囲が権利を与えられる同等物の全範囲と一緒に、添付の特許請求の範囲の言葉によってのみ限定されなければならない。本明細書で使用される用語法が、特定の実施形態を説明するのみのためのものであって、限定的であることを意図されていないことをも理解されたい。
【００５０】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００５１】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１以上の（ｏｎｅ  ｏｒ  ｍｏｒｅ）」を使用して請求項の記載を導くことを含む場合がある。しかし、そのような句の使用は、同一の請求項が、導入句「１以上の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それ���限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００５２】
さらに、開示される特徴または態様が、マーカッシュ群に関して説明される場合に、当業者は、その開示が、これによってマーカッシュ群の任意の個々のメンバまたはメンバのサブグループに関しても説明されることを認めるであろう。
【００５３】
当業者によって理解されるように、書かれた説明の提供に関してなど、すべてにおいて、本明細書で開示されるすべての範囲は、任意のすべての可能な副範囲およびその副範囲の組合せをも含む。すべてのリストされた範囲を、少なくとも等しい半分、３分の１、４分の１、５分の１、１０分の１などに分割される同一の範囲を十分に記述し、可能にするものとしてたやすく認めることができる。非限定的な例として、本明細書で議論される各範囲を、下側３分の１、中央３分の１、および上側３分の１などにたやすく分割することができる。やはり当業者によって理解されるように、「〜まで」、「少なくとも」、「〜より大きい」、「〜より小さい」などのすべての言語は、列挙された数を含み、上で議論したようにその後に副範囲に分割できる範囲に言及する。最後に、当業者によって理解されるように、範囲は、各個々の数を組む。したがって、たとえば、１〜３個のセルを有するグループは、１個、２個、または３個のセルを有するグループに言及する。同様に、１〜５個のセルを有するグループは、１個、２個、３個、４個、または５個のセルを有するグループに言及するなどである。
【００５４】
さまざまな態様および実施形態を本明細書で開示したが、他の態様および実施形態は、当業者には明白であろう。本明細書で開示されたさまざまな態様および実施形態は、例示のためのものであって、限定的であることは意図されておらず、真の趣旨および範囲は、次の特許請求の範囲によって示される。
【図１Ａ】
0005465789.tif 000002
【図１Ｂ】
0005465789.tif 000003
【図１Ｃ】
0005465789.tif 000004
【図１Ｄ】
0005465789.tif 000005
【図２】
0005465789.tif 000006
【図３】
0005465789.tif 000007
【図４】
0005465789.tif 000008
【図５】
0005465789.tif 000009
【図６】
0005465789.tif 000010
【図７Ａ】
0005465789.tif 000011
【図７Ｂ】
0005465789.tif 000012
【図８Ａ】
0005465789.tif 000013
【図８Ｂ】
0005465789.tif 000014
【図９】
0005465789.tif 000015
【図１０Ａ】
0005465789.tif 000016
【図１０Ｂ】
0005465789.tif 000017
【図１０Ｃ】
0005465789.tif 000018
【図１１】
0005465789.tif 000019